(57)【要約】      （修正有）【課題】購入者が買物に行く際に携帯する袋であり、何度も使用でき、袋のリサイクル回収率を向上させ該リサイクルの手間を省きより安価で袋のリサイクルが可能であるとともに袋にＱＲコード（登録商標）を印刷し、ＱＲコードに関連する特定の販売店の情報を容易に入手でき、該販売店の集客力向上につながる手段を備えた再使用可能な袋を提供する。【解決手段】不織布からなる再使用可能な袋であって、該袋の表面に、温水溶解性を有する接着剤層を介して、印刷インク層５を有するフィルム４が該印刷インク層を接着剤層側に面して接着されてなるとともに該袋にはＱＲコードを印刷し、該ＱＲコードから入手できる情報から特定販売店の集客力を向上させることにつながる再使用可能な袋。【選択図】図１
0003232742.tif 000002
【実用新案登録請求の範囲】
【請求項１】
再使用可能な袋であって、
ＱＲコードが描かれた印刷インク層を有するフィルムが該袋の表面に接着されるとともに、かつ温水溶解性を有する接着剤層が該フィルムと該袋との間に介在してなる再使用可能な袋。
【請求項２】
前記印刷インク層を有するフィルムは、グラビア印刷インク層を有するフィルムである請求項１に記載の再使用可能な袋。
【請求項３】
前記接着剤層が、ポリビニルアルコール、変性ポリビニルアルコール又はその混合物を含むポリマーブレンドからなる請求項１又は請求項２に記載の再使用可能な袋。
【請求項４】
前記袋が、ポリプロピレン不織布又はポリエチレン不織布からなり、前記フィルムがポリエチレンテレフタレートフィルムからなる請求項１乃至請求項３のうちいずれか一項に記載の再使用可能な袋。
【請求項５】
前記フィルムには販売店の宣伝又はロゴとともに、販売店及びリサイクルに関する情報を表示するＱＲコードが描かれている、請求項１乃至請求項４のうちいずれか一項に記載の再使用可能な袋。
【請求項６】
前記フィルムには商品の宣伝又はロゴとともに、商品に関する情報を表示するためのＱＲコードが描かれている、請求項１乃至請求項４のうちいずれか一項に記載の再使用可能な袋。
【請求項７】
前記ＱＲコードは、販売店のＵＲＬ、販売店のチラシ、販売店のクーポン、販売店の決済又は袋のリサイクルに関する動画を含む情報を表示する請求項１又は請求項５に記載の再使用可能な袋。
【請求項８】
前記ＱＲコードは、商品のＵＲＬ、商品の情報、又は商品を使用した料理に関する動画を含む情報を表示する請求項１又は請求項６に記載の再使用可能な袋。
【請求項９】
温水溶解性を有する接着剤層が該フィルムと該袋との間に介在するフィルム付き袋を温水又はアルカリ水に浸漬し、フィルム及び袋を分離し、袋を取り出し、袋を洗浄又は解砕、開繊し、得られた不織布にバージン不織布原料を混合又は積層し、不織布袋を再生産するリサイクル方法において使用可能な請求項４に記載の再使用可能な袋。
【請求項１０】
印刷インク層を有するフィルムが袋の表面に接着されるとともに、かつ温水溶解性を有する接着剤層が該フィルムと該袋との間に介在してなる再使用可能な袋であって、ＱＲコードを表面に描いたプラスチックプレートを取り外し可能に取り付けてなる、再使用可能な袋。
【考案の詳細な説明】
【技術分野】
【０００１】
本考案は、リサイクルし易い再使用可能な袋であって、販売店での購入者への情報伝達手段を備えた再使用可能な袋に関する。より詳しくは、前記袋は不織布であり、袋の表面にフィルムを有し、フィルムには購入者への情報伝達手段としてＱＲコード（登録商標）を宣伝広告等とともに印刷し、再使用のためにフィルムの分離除去が容易であり、かつ安価である再使用可能な袋に関する。
【背景技術】
【０００２】
不織布製の買物袋は、販売店ごとに識別するために、無色又は染色された不織布に、販売店のキャラクター、ロゴ、宣伝広告等が印刷され使用されている。この印刷された不織布製買物袋のリサイクルを容易にするために、例えば、ポリビニルアルコールを添加した水性フレキソインキをシルクスクリーン印刷し、洗剤を含む温アルカリ水で除去できるシルクスクリーン印刷のインク層を有する不織布袋が提案されている（特許文献１参照）。
一方、小売店の決済システムにおいてＱＲコードの使用例が提案されている（特許文献２参照）。
【先行技術文献】
【特許文献】
【０００３】
【特許文献１】特開２０１２−２０１７４７号公報
【特許文献２】特開２０２０−１９０８３５号公報
【考案の概要】
【考案が解決しようとする課題】
【０００４】
特許文献１には、回収した不織布袋を、洗剤を含む温アルカリ水溶液に浸漬して印刷インク層を取り除き、不織布を洗浄することにより、不織布の再生原料として再利用できる旨が記載されている。しかし、取り除かれた印刷インク層の一部が温アルカリ水溶液に溶解又は分散して、不織布に付着及び着色するので、回収した不織布を再生原料とするには、洗浄するだけでなく、脱色又は染色する工程が必要となり、手間とコストがかかり、安価な買物袋を提供することはできない。
また、販売店は、使い捨てレジ袋よりも費用負担のかかる不織布製の買物袋を無料配布又は割引販売するために、その費用を負担する必要がある。そして、その負担に見合う集客力や購入者の購買意欲を向上させる手段を買物袋が備えることが望まれている。
そこで、本考案は、購入者が買物をする際に携帯し易い袋であり、購入者が特定の販売店の情報を容易に入手できることにより、購入者の購買意欲を惹起し特定販売店の集客力向上につながる手段を備えた袋であって、安価で袋のリサイクルが可能で、袋のリサイクル回収を促進させる再使用可能な袋を提供することを目的とする。
【課題を解決するための手段】
【０００５】
本考案者は、前記課題を解決するために検討を行った結果、より多くの回数使用できる不織布を使用し、リサイクルの際はフィルムを不織布の袋より簡単に分離でき、該分離した際に印刷インク層を有するフィルムから印刷インク層が分離せず、不織布を着色又は染色させないリサイクル方法を考案し別途、特許出願した。そして、さらに本考案者は、特定販売店の宣伝及び特定販売店の情報を容易に入手する手段として、該袋に宣伝ロゴやＱＲコードを印刷又は取り付けることができる再使用可能な袋を着想しここに本考案を完成させた。即ち、本考案は、以下の態様からなる。
［１］  再使用可能な袋であって、
ＱＲコードが描かれた印刷インク層を有するフィルムが該袋の表面と接し、かつ温水溶解
性を有する接着剤層が該フィルムと該袋との間に介在することにより、該袋に該フィルムが接着された再使用可能な袋。
［２］  前記印刷インク層を有するフィルムは、グラビア印刷インク層を有するフィルムである［１］に記載の再使用可能な袋。
［３］  前記接着剤層が、ポリビニルアルコール、変性ポリビニルアルコール又はその混合物を含むポリマーブレンドからなる［１］又は［２］に記載の再使用可能な袋。
［４］  前記袋が、ポリプロピレン不織布又はポリエチレン不織布からなり、前記フィルムがポリエチレンテレフタレートフィルムからなる［１］乃至［３］のうちいずれか一項に記載の再使用可能な袋。
［５］  前記フィルムには販売店の宣伝又はロゴとともに、販売店及びリサイクルに関する情報を表示するＱＲコードが描かれている、［１］乃至［４］のうちいずれか一項に記載の再使用可能な袋。
［６］  前記フィルムには商品の宣伝又はロゴとともに、商品に関する情報を表示するためのＱＲコードが描かれている、［１］乃至［４］のうちいずれか一項に記載の再使用可能な袋。
［７］  前記ＱＲコードは、販売店のＵＲＬ、販売店のチラシ、販売店のクーポン、販売店の決済又は袋のリサイクルに関する動画を含む情報を表示する［１］又は［５］に記載の再使用可能な袋。
［８］  前記ＱＲコードは、商品のＵＲＬ、商品の情報、又は商品を使用した料理に関する動画を含む情報を表示する［１］又は［６］に記載の再使用可能な袋。
［９］  温水溶解性を有する接着剤層が該フィルムと該袋との間に介在するフィルム付き袋を温水又はアルカリ水に浸漬し、フィルム及び袋を分離し、袋を取り出し、袋を洗浄又は解砕、開繊し、得られた不織布にバージン不織布原料を混合又は積層し、不織布袋を再生産するリサイクル方法において使用可能な［４］に記載の再使用可能な袋。
［１０］  印刷インク層を有するフィルムが袋の表面に接着されるとともに、かつ温水溶解性を有する接着剤層が該フィルムと該袋との間に介在してなる再使用可能な袋であって、ＱＲコードを表面に描いたプラスチックプレートを取り外し可能に取り付けてなる、再使用可能な袋。
【考案の効果】
【０００６】
本考案の再使用可能な袋に販売店又は商品のＱＲコードが印刷されていれば、購入者は、スマートフォン等から該販売店及び商品の情報を容易に入手できる。これら情報は、購買意欲を向上させ、特定販売店の集客力向上につながる。
本考案の再使用可能な袋に袋のリサイクルに関するＱＲコードが印刷されていれば、購入者（袋の使用者）は、ＱＲコードからスマートフォン等を使い袋のリサイクルに関する情報を入手でき、袋の回収に貢献できる。
本考案の再使用可能な袋に印刷されたＱＲコードの情報が動画であれば、購入者はスマートフォン等からわかりやすい情報を得ることができる。
本考案の再使用可能な袋にフィルムを接着した場合、高い温水溶解性を有する接着剤層を介していれば、フィルムが接着された袋は温水又はアルカリ水に浸漬するだけで該袋から印刷インク層を有するフィルムを容易に分離できる。
本考案の再使用可能な袋からフィルムを温水又はアルカリ水により分離する場合、不織布からなる袋をポリプロピレン製又はポリエチレン製にすれば温水又はアルカリ水中で該袋は浮上し、フィルムをポリエチレンテレフタレート製にすれば温水又はアルカリ水中でフィルムは沈むので該袋及びフィルムを個別に容易に分離できる。
本考案の再使用可能な袋をポリプロピレン製又はポリエチレン製の不織布からなる袋にすれば、リサイクル際の洗浄、開繊、再生産は安価にできる。
本考案の再使用可能な袋によれば、前記印刷インク層は温水又はアルカリ水中に溶解・分散することが抑えられるので、前記印刷インク層は分離した際に不織布を着色することがない。
本考案の再使用可能な袋によれば、販売店及び商品のＱＲコードを鮮明に印刷できので、ＱＲコードをスマートフォン等から取り込む際の誤動作が少なくなる。
【図面の簡単な説明】
【０００７】
【図１】図１は、不織布からなる袋の図であり、（ａ）は、斜視図であり、（ｂ）は、印刷インク層を有するフィルムの印刷された部分を円形に切取った拡大図である。
【図２】図２は、ＱＲコードを表面に印刷したプラスチックプレートをボールチェーンで取り付けた不織布からなる袋の斜視図である。
【図３】図３は、図１のＡ−Ａ’断面図である。
【考案を実施するための形態】
【０００８】
購入者が買物の際に持つものとしては、使い捨ての袋ではなく、リサイクルを前提とした再使用可能な袋がある。再使用可能な袋は、１０回以上の買物に耐えうる強度等を備えており、リサイクルを前提に販売店より無償配布又は割引販売することができる。購入者が安価で袋を入手できれば、購入者は販売店へ行く際に該袋を携帯するようになる。こうなると特定の販売店は、袋を携帯する購入者に対し販売店の情報を伝えたいと望むようになる。購入者が販売店や商品の情報を簡単に入手する手段としては、ＱＲコードから情報を得る手段がある。
本考案の再使用可能な袋は、不織布からなり、表面に温水溶解性を有する接着剤層を介して、印刷インク層を有するフィルムが該印刷インク層を接着剤層側に面して接着されてなる。印刷インク層は、グラビア印刷インク層であり、そしてフィルムの印刷インク層を有する側の表面は、コロナ処理面、プラズマ処理面及びフレーム処理面からなる群から選択される処理面である。フィルムには、販売店、商品及び袋のリサイクルに関する情報のＱＲコードが印刷されている。ＱＲコードはプラスチックプレートに印刷し袋に取り付けることでも対応できる。
【０００９】
＜ＱＲコード＞
ＱＲコードは、マトリクス型２次元バーコートの１つであり、カメラ又は２次元スキャナを用いて、データを抽出することができる。データ量は、ＱＲコードの種類にもよるが数百から数千個バイト程度である。ＱＲコードは、パソコンソフト等で容易に生成可能であり、印刷機等を用いて前記フィルムに印刷することができる。ＱＲコード自体は、単なるパターンであり、何に関する情報なのか分かりにくいが、ＱＲコードの上又は下部に文字を印刷することで、内容を推定することができる。
【００１０】
ＱＲコードは、表面にＱＲコードを印刷したプラスチックプレートを再使用可能な袋に取り付けることもできる。ＱＲコードを印刷したプラスチックプレートの前記袋への取り付け場所は、袋の使用に支障が無ければ、いずれの場所に取り付けても良い。例えば、袋の把手部分に取り付ける場合は、ＱＲコードを印刷したプラスチックプレート穴を設け、ボールチェーン又は結束バンド等により取付けることができる。これにより、ＱＲコードを印刷したプラスチックプレートは、ボールチェーン等を取外すことで容易に取り外せ、新たな不織布袋に取付けることができる。
【００１１】
ＱＲコードからデータを取得する方法を説明する。ＱＲコードのデータは、スマートフォン又は携帯電話を含む携帯端末（以下スマートフォン等）のＱＲコードアプリケーションを起動し、スマートフォン等のカメラ部でＱＲコードを撮影することによって、ＱＲコードのパターンを映像データとして、スマートフォン等内に取り込む。スマートフォン等は、取り込まれたＱＲコードからデータを抽出する。スマートフォン等は、得られたデータがテキストデータであれば、それを文字として画面等に表示し、ＵＲＬ（Ｕｎｉｆｏｒｍ  Ｒｅｓｏｕｒｃｅ  Ｌｏｃａｔｏｒ）データであれば、該当するＵＲＬのホームページの情報を取得し、スマートフォン等の表示画面上にホームページや動画を表示する。ホ
ームページから販売店の専用アプリをインストールさせる画面に誘導することもできる。前記一連の動作によって、購入者は、ＱＲコードの情報を得ることができる。購入者が、販売店のチラシを見ることやクーポンを得ることを簡単にできるようにすることが重要である。また、ＱＲコードの情報としては、袋に印刷された宣伝広告製品についての商品説明、その商品を使用した料理の説明、袋のリサイクルに関する説明を示すインターネットのサイトを画面に表示することもできる。印刷するＱＲコードは、該当するホームページの表紙部分を表示するＵＲＬでもいいし、ホームページ内の該当する部分のＵＲＬでもよい。印刷するＱＲコードは、文章による説明ページを表示するサイトのＵＲＬだけでなく、動画を配信するインターネットのサイトのＵＲＬでもよい。
【００１２】
＜不織布からなる再使用可能な袋＞
本考案の再使用可能な袋は、不織布からなる袋であればよく、そのサイズ及び形状は特に制限されない。例えば、買物袋、スーツ袋等の様々な形状の袋が挙げられる。好ましくは、再使用されることが多く、使用後に再生材料として回収しやすい買物袋、いわゆるレジ袋の形状の袋が挙げられる。
不織布は、軽量で折り畳んだり丸めたりでき、使用時に再展開して容易に元の形状に戻すこともでき携帯性に優れ、再使用可能な袋として利用できる。
また、不織布からなる袋は、同一の素材からなる不織布及び糸から製造することができるため、分解分別する必要なく、そのまま袋を容易に再生することができる。
【００１３】
本考案の再使用可能な袋に使用される不織布は、公知の不織布を使用でき、ポリエステル、ポリエチレン、ポリプロピレン、ポリオレフィン、ビニロン等が挙げられる。
フィルム付き袋は、温水又はアルカリ水に浸漬して接着剤層が溶解することにより、印刷インク層を有するフィルムと不織布からなる袋に分離する。該袋は温水及びアルカリ水より比重を小さくすることができる。
比重が温水及びアルカリ水より小さい場合は、比重０．９９以下、好ましくは比重０．９５以下の不織布が挙げられる。例えば、ポリプロピレンの比重は一般に０．９０〜０．９１であり、ポリエチレンの比重は一般に０．９４〜０．９７である。
不織布として再生の容易さ、強度、成形性等の面から考慮すると、好ましくはポリオレフィン製の不織布、例えばポリエチレン不織布又はポリプロピレン不織布が使用される。なかでも、再生が容易なポリプロピレン不織布が好ましい。
【００１４】
不織布からなる袋の側部及び底部を接合する場合、接合には公知の方法を使用できる。例えばヒートシール或いは超音波シールを使用するか、又は不織布と同じポリプロピレン製の糸或いは高い温水溶解性を有する糸で縫着することができる。これにより不織布からなる袋は、糸を外したりする工程を追加することなく、印刷インク層を有するフィルムを分離し、再生原料とすることができる。不織布からなる袋は、底面部或いは把手と袋体の接合部等の負荷がかかる部分にヒートシールよりも接合力の強い縫着により接合することが好ましい。温水溶解性を有する糸としては、本考案の接着剤層と同程度の溶解性を有していればよい。例えばポリビニルアルコール繊維又はビニロン繊維が挙げられる。
【００１５】
＜フィルム＞
フィルム基材としては、ポリエステルフィルム、ポリエチレンフィルム、ポリプロピレンフィルム、ポリスチレンフィルム、塩化ビニルフィルム、ポリエチレンテレフタレートフィルム及びナイロンフィルム等の透明な樹脂フィルムが挙げられる。
フィルム付き袋は、温水又はアルカリ水に浸漬して接着剤層が溶解することにより、印刷インク層を有するフィルムと不織布からなる袋に分離する。
【００１６】
前記該フィルムは温水及びアルカリ水よりは比重を大きくすることができる。比重が温水及びアルカリ水より大きい場合は、比重１．０１以上、好ましくは比重１．０５以上の
フィルムが挙げられる。例えば、ポリスチレンの比重は一般に１．０４〜１．０９であり、ポリエステルの比重は一般に１．１０〜１．４６であり、ポリエチレンテレフタレートの比重は一般に１．３４〜１．３９である。
前記のフィルム基材のなかでも、耐擦傷性、透明性、耐水性、耐候性及び加工性の観点から、ポリエチレンテレフタレート（ＰＥＴ）フィルムが好ましい。
フィルム基材の厚みは、インク転移性を向上し、版かぶりを抑制する観点から、好ましくは１０μｍ以上、より好ましくは１２μｍ以上であり、そして、好ましくは１００μｍ以下、より好ましくは６０μｍ以下、更に好ましくは４０μｍ以下である。
【００１７】
本考案の再使用可能な袋には、フィルムを２か所以上に接着することもできる。２か所以上にフィルムを接着する場合、印刷インク層の模様・文字等は同じでも異なっていても良い。例えば、不織布からなる袋の一方の面に自社（販売店等）を識別するためのロゴマーク等の印刷を行ったフィルムを接着し、他の面に他社商品の宣伝広告等の印刷したフィルムを接着しても良い。
【００１８】
＜フィルムへの印刷＞
印刷インク層の印刷方法は、フィルムへの印刷に採用される方法であれば特に制限はない。例えばフレキソ印刷及び活版印刷等の凸版印刷、グラビア印刷等の凹版印刷、オフセット印刷等の平板印刷、シルクスクリーン印刷等の孔版印刷などのいずれも採用可能である。特に、ＰＥＴフィルム等のフィルム基材への印刷性、美粧性、衛生性及び簡便性の観点からフレキソ印刷又はグラビア印刷が好ましい。また、ＱＲコード等を印刷する場合は、よりグラビア印刷が好ましい。
また、印刷適性を向上させる観点から、フィルム基材の印刷する表面は、コロナ処理、プラズマ処理、フレーム処理、熱風処理、クロム酸処理、オゾン・紫外線処理等により酸化させ、ぬれ性を向上させた処理面となすことにより、印刷インク層及び以下に説明する接着剤層の密着性を向上させることができる。特に、印刷する表面をコロナ処理、プラズマ処理又はフレーム処理による処理面となすことが好ましい。本考案においては、フィルム表面にコロナ処理装置によりコロナ処理を行うことが好ましい。
【００１９】
印刷インクは、温水又はアルカリ水溶液に溶解しないインクであればよく、従来のフレキソ印刷又はグラビア印刷に使用されるインクを使用できる。なかでも溶媒を使用せず環境にやさしいという観点から、水性インク及びＵＶ硬化インクが好ましい。
各販売店独自のロゴマーク、企業又はその製品の宣伝広告及びＱＲコード等はフィルムに裏刷り印刷される。本考案の印刷インク層の表面はフィルムに保護される。そのため、フィルム付き袋の使用時に印刷インク層が傷ついたり、剥がれ落ちたり、色彩が劣化したりするのを防止できる。
【００２０】
＜接着剤層＞
本考案における接着剤層は、本考案の不織布からなる袋の袋体表面と、フィルムの印刷層を有する面とを貼り合わせて接着できる接着剤からなる層である。本考案における接着剤層は、本考案のフィルム付き袋が雨に濡れてもフィルムが剥がれないことが求められる観点から低温の水には溶解せず、一方フィルム付き袋表面から該フィルムが容易に分離されるようにするために、例えば５０℃又は６０℃以上の温水に浸漬したときには、容易に溶解してしまう性質を有することが求められる。従って、それら要求を満たす高分子としての溶解度は、２０℃の水１００ｇに対して２０ｇ未満、及び５０−６０℃の水１００ｇに対して６０ｇ以上であることが好ましい。
【００２１】
本考案では前記のような性質を有する接着剤層として、ポリビニルアルコール（一般名称としてポバール）を含む接着剤層が好適に用いられる。
本考案に用いられるポリビニルアルコールとしては、前記のような耐水性を有するポリ
ビニルアルコールであれば特に限定はされない、例えばアルコキシ基、エステル基、アルキレンエーテル基など各種の修飾基を有する変性ポリビニルアルコールでもよい。けん化度は、９７．５モル％以上が好ましい。
ポリビニルアルコール及び変性ポリビニルアルコールの市販品としては、例えば株式会社クラレの商品名「クラレポバール」（登録商標）、デンカ株式会社の商品名「デンカポバール」（登録商標）、三菱ケミカル株式会社の商品名「ゴーセノール」（登録商標）、「ゴーセネックス」（登録商標）等が挙げられる。
【００２２】
本考案における接着剤層は、例えば前記高分子又は高分子を水又は溶媒に溶解又は分散させた溶液をフィルムの印刷インク層を有する面に塗付又は吹き付け、必要によりプレ乾燥させて、不織布に該フィルムを（加熱）圧着又は熱融着することにより、不織布とフィルムとの間に形成することができる。
【００２３】
本考案の接着剤層は、温水又はアルカリ水に浸漬することにより溶解する。接着剤層が溶解することで、フィルム付き袋はフィルムと袋に分離する。分離されたフィルム表面の印刷インク層は一般に非水溶性であり、温水又はアルカリ水であっても溶解しにくい。さらにフィルムの印刷インク層を有する面をコロナ処理、プラズマ処理及びフレーム処理からなる群から選択される処理面としているとき、温水又はアルカリ水中で印刷インク層はフィルムから容易に分離しない。そのため、温水又はアルカリ水に印刷インク層のインクは溶解したり分散したりすることなく、不織布からなる袋を着色又は染色することない。
【００２４】
＜リサイクルシステム＞
販売店では、購入者による使用が重ねられた使用済みのフィルム付き袋を回収する。販売店は、使用が重ねられた使用済みフィルム付き袋をより多く回収するため、購入者が使用済みフィルム付き袋を販売店に持ち込むことを条件にすることで、新しいフィルム付き袋と無償交換又は割引販売することができる。
【００２５】
回収されたフィルム付き袋は、再生する設備に集められ、温水又はアルカリ水に浸漬し、フィルムを分離し取り出される。取り出された袋は乾燥して、再使用可能な不織布袋に仕上げる、或いは、取り出された前記不織布からなる袋を解砕、開繊し、得られた不織布原料にバージン不織布原料を混合又は積層し、そして混合又は積層された材料より再使用可能な不織布袋を再生産する。
【００２６】
＜フィルム付き袋から印刷インク層を有するフィルムを分離するための溶媒＞
本考案の接着剤層は、酸性に溶けにくくアルカリ性に溶けやすい性質を有するため、５０℃以上、好ましくは６０℃以上の温水を使用し溶解させるか、アルカリ水として、例えば水酸化ナトリウム水溶液等のアルカリ水を用いることによって容易に溶解することができる。
前記フィルム付き袋から印刷インク層を有するフィルムを分離する溶媒は、有機溶剤などを使用せず水だけを使用するため、作業者の健康面への影響がなく、更には土壌汚染等の環境への影響もない。ただし、アルカリ水を使用した場合の廃棄では、ｐＨ調整後中性にする必要がある。
【実施例】
【００２７】
以下、本考案について例を挙げて説明するが、本考案はこれらの例に何ら限定されるものではない。
【００２８】
＜買物袋の構造＞
図１に示す買物袋１の構造について説明する。買物袋１はポリプロピレン不織布３にＰＥＴフィルム４を接着する。ポリプロピレン不織布３は、把手部１４、封止片１５、耳部
１６を形成し、左右両側に超音波シールされた側部１８を有する。ＰＥＴフィルム４には、ＱＲコード１１等が印刷されている。
買物袋１のフィルムにＱＲコードを印刷しない場合、ＱＲコードを表面に印刷したプラスチックプレート２１を準備する。ＱＲコードを表面に印刷したプラスチックプレート２１をボールチェーン２２で取り付けた買物袋１を図２に示す。
買物袋１（図１）における印刷インク層を有するフィルムの印刷された部分を円形に切取った拡大図のＡ−Ａ’断面図を図３に示す。断面図に示すＰＥＴフィルム４右側面の印刷面をコロナ処理装置によりコロナ処理し、コロナ処理面６を形成させる。コロナ処理面６の右側にグラビア印刷機により印刷インク層５を印刷する。次に右側からポリビニルアルコール水溶液を塗布して接着剤層７を有するフィルムとし、ポリプロピレン不織布３に圧着する。これにより、温水溶解性を有する接着剤層７を介して、グラビア印刷された印刷インク層５を有するフィルム４が接着されてなるプロピレン不織布３を得ることができる。
【００２９】
買物袋１は、ポリプロピレン製の不織布からなり、多くの商品や重い商品を入れても袋側部の繋ぎ目から袋が裂けたり破けたりせず、角の或る商品を入れても袋体が伸びて破けないので、従来のレジ袋と比べて、袋内に詰める内容物の荷重限度、並びに許容体積を著しく向上することができる。ゆえに本考案の買物袋１は、重い商品や嵩張る商品を入れ繰り返し使用しても、通常１０回以上繰り返して使用することができる。買物袋１は、軽量であり、コンパクトに折り畳むことができるとともに折り畳み後に再展開して元の形状に戻すことも容易で、携帯に大変適している。
【００３０】
＜ＱＲコードの利用方法＞
図１の買物袋１のＰＥＴフィルム４にはＱＲコード１１が印刷されている。ＱＲコード１１は、スマートフォン等のＱＲコードアプリケーションを起動し、スマートフォン等のカメラ部でＱＲコード１１を撮影することによって、スマートフォン等内に取り込む。スマートフォン等は、取り込まれたＱＲコード１１のデータを抽出する。スマートフォン等は、得られたデータがテキストデータであれば、それを文字表示画面として画面等に表示し、ＵＲＬデータであれば、該当するＵＲＬのホームページの情報を取得し、スマートフォン等の画面上にホームページを表示する。例１として、ＱＲコード１１が販売店の専用アプリケーションソフトをインストールさせる画面に誘導するＵＲＬであれば、購入者はＱＲコード１１をスマートフォン等で撮影することによって、ＱＲコード１１のＵＲＬを取り込み、そのＵＲＬにより表示された画面誘導に従い、販売店のアプリケーションソフトを予めインストールする。インストールされた販売店のアプリケーションソフトは、販売店のチラシ・クーポンを表示させたり、割引商品を表示させたり、商品の店内の場所を提示することができる。例２として、ＱＲコード１１が、チラシ・クーポンのＵＲＬのデータであれば、購入者はスマートフォン等のカメラ部でＱＲコード１１をスマートフォン等で撮影することによって、ＱＲコード１１のＵＲＬを取り込み、そのＵＲＬから特定販売店のチラシ・クーポンのサイトを表示させることができる。チラシ・クーポンのＵＲＬの他に、買物袋のリサイクル情報のＵＲＬ、商品情報のＵＲＬ又は商品を使用した料理に関するＵＲＬをＱＲコード１１とすることもできる。買物袋のリサイクル情報や商品を使用した料理に関する情報のＵＲＬから動画を表示させることもできる。
【産業上の利用可能性】
【００３１】
不織布からなる再使用可能な袋を製造し、該袋を使用した後、使用済み袋として回収し、そしてそれを不織布シートとして、再び不織布からなる袋を作成することで、袋の再生・再利用することが可能となる。このような再使用可能な袋は、資源を浪費することなく、また焼却処分も要しないので炭酸ガスの発生もなく、従って、本考案は、環境保全・資源節約の観点から非常に有用である。また、ＱＲコードを印刷又はプラスチックプレートにより取り付けることにより、購入者はいつでも販売店、商品及びリサイクルの情報を入
手できるようになる。これら情報は、購入者の購買意欲向上、販売店の集客力向上及び袋のリサイクル率向上に貢献できる。
【符号の説明】
【００３２】
１  買物袋、３  ポリプロピレン不織布、４  ＰＥＴフィルム、
５  印刷インク層、６  コロナ処理面、７  接着剤層、１１  ＱＲコード
１４  把手部、１５  封止片、１６  耳部、１８  側部、
２１  プラスチックプレート、２２  ボールチェーン
【図１】
0003232742.tif 000003
【図２】
0003232742.tif 000004
【図３】
0003232742.tif 000005
【手続補正書】
【提出日】令和3年4月27日(2021.4.27)
【手続補正１】
【補正対象書類名】実用新案登録請求の範囲
【補正対象項目名】全文
【補正方法】変更
【補正の内容】
【実用新案登録請求の範囲】
【請求項１】
再使用可能な袋であって、
ＱＲコード（登録商標）が描かれた印刷インク層を有するフィルムが該袋の表面に接着されるとともに、かつ温水溶解性を有する接着剤層が該フィルムと該袋との間に介在してなる再使用可能な袋。
【請求項２】
前記印刷インク層を有するフィルムは、グラビア印刷インク層を有するフィルムである請求項１に記載の再使用可能な袋。
【請求項３】
前記接着剤層が、ポリビニルアルコール、変性ポリビニルアルコール又はその混合物を含むポリマーブレンドからなる請求項１又は請求項２に記載の再使用可能な袋。
【請求項４】
前記袋が、ポリプロピレン不織布又はポリエチレン不織布からなり、前記フィルムがポリエチレンテレフタレートフィルムからなる請求項１乃至請求項３のうちいずれか一項に記載の再使用可能な袋。
【請求項５】
前記フィルムには販売店の宣伝又はロゴとともに、販売店及びリサイクルに関する情報を表示するＱＲコード（登録商標）が描かれている、請求項１乃至請求項４のうちいずれか一項に記載の再使用可能な袋。
【請求項６】
前記フィルムには商品の宣伝又はロゴとともに、商品に関する情報を表示するためのＱＲコード（登録商標）が描かれている、請求項１乃至請求項４のうちいずれか一項に記載の再使用可能な袋。
【請求項７】
前記ＱＲコード（登録商標）は、販売店のＵＲＬ、販売店のチラシ、販売店のクーポン、販売店の決済又は袋のリサイクルに関する動画を含む情報を表示する請求項１又は請求項５に記載の再使用可能な袋。
【請求項８】
前記ＱＲコード（登録商標）は、商品のＵＲＬ、商品の情報、又は商品を使用した料理に関する動画を含む情報を表示する請求項１又は請求項６に記載の再使用可能な袋。
【請求項９】
温水溶解性を有する接着剤層が該フィルムと該袋との間に介在するフィルム付き袋を温水又はアルカリ水に浸漬し、フィルム及び袋を分離し、袋を取り出し、袋を洗浄又は解砕、開繊し、得られた不織布及びバージン不織布原料により該袋が構成される請求項４に記載の再使用可能な袋。
【請求項１０】
印刷インク層を有するフィルムが袋の表面に接着されるとともに、かつ温水溶解性を有する接着剤層が該フィルムと該袋との間に介在してなる再使用可能な袋であって、ＱＲコード（登録商標）を表面に描いたプラスチックプレートを取り外し可能に取り付けてなる、再使用可能な袋。